(57)【特許請求の範囲】
【請求項１】
和装用帯板の左右両端部寄り部分を除く内面の下部辺縁寄り部位に帯板の内面を含まずに輪状又は筒状を成し且つ絞紐を挿通可能とした挿通孔が該帯板の内面から一定範囲自由に起伏可能に形成した起伏体を、該帯板の下部辺縁に沿って間隔置きに設け、
使用者の胴部に巻いたとき両端部が結べる程度の長さを有する絞紐を、該帯板の一方側の挿通孔から他方側の挿通孔に向って順に挿通するとともに該絞紐の両端部を一方側の挿通孔と他方側の挿通孔から突出させて成り、
前記絞紐の両端を同時に引くと挿通孔が前記帯板の内面から起き上がって該帯板の下部を胴部に締め付けできるようにしたことを特徴とする和装用帯板の下締め装置。
【請求項２】
和装用帯板の左右両端部寄り部分を除く内面の下部辺縁寄り部位に帯板の内面を含まずに筒状を成し且つ絞紐を挿通可能とした挿通孔が該帯板の内面から一定範囲自由に起伏可能に形成した起伏体を、該帯板の下部辺縁に沿った略全域に設け、
使用者の胴部に巻いたとき両端部が結べる程度の長さを有する絞紐を、該帯板の一方側の挿通孔から他方側の挿通孔に向って挿通するとともに該絞紐の両端部を一方側の挿通孔と他方側の挿通孔から突出させて成り、
前記絞紐の両端を同時に引くと挿通孔が前記帯板の内面から起き上がって該帯板の下部を胴部に締め付けできるようにしたことを特徴とする和装用帯板の下締め装置。
【請求項３】
起伏体が、挿通孔を帯板の内面から一定範囲自由に起伏可能とする係留部を備えたことを特徴とする請求項１又は２に記載の和装用帯板の下締め装置。
【請求項４】
絞紐を、起伏体の一箇所又は帯板の一箇所に固定したことを特徴とする請求項１から３のうちいずれか一項に記載の和装用帯板の下締め装置。
【請求項５】
絞紐の一方端部又は両端部に、該絞紐の両端部を繋いで絞紐の胴回り長さの絞り調節と絞紐の端部の固定とを可能とする係止具を装着したことを特徴とする請求項１から４のうちいずれか一項に記載の和装用帯板の下締め装置。
【発明の詳細な説明】
【技術分野】
【０００１】
本発明は、着物の着付けの際に、帯の内側に用いられる和装用帯板を胴部に締め付けて帯を調えるための装置に関する。
【背景技術】
【０００２】
従来、女性が和服の着物を着付ける際に、帯を調えるため帯板を使用することがあるが、その際に用いられる帯板には各種形態がある。
例えば、帯の裏面（内側）に装着する帯留め用のバンドを備えた帯板（特許文献１参照）などが提案されている。
また、帯枕、帯結びなどを固定するための止め紐を設けた帯板も各種提案されている。
【特許文献１】実開平６−２０４２６号公報
【発明の開示】
【発明が解決しようとする課題】
【０００３】
このような帯板では、バンドや止め紐などで固定した帯の結び目側の帯板に帯全体の荷重がかかって使用中に帯板の後部が下がり、この結果帯板の前部が帯に対して相対的に引き上げられ、図９の（イ）に示す正常な状態（帯Ｂの内側に帯板Ａが隠れ、結び目Ｅの上にバンドや止め紐Ｃにより帯板のＡに止められた帯枕Ｄが載って、帯結び部分Ｆを形よく高く保っている状態）が、図９の（ロ）に示すように、帯Ｂから帯板Ａの前部ａが露出し、着物を飾る帯結び部分Ｆと着物の背部分とに空間が開くほど後ろに垂れ下がり、大変見苦しくなってしまう難点がある。
また、帯の形自体は崩れなくても使用中に帯と帯板の全体が、帯の重みで下にずり下がることもある。
そのように一旦帯の着崩れが起きた場合には、着直しをすれば良いが、それには場所と時間が必要であり、その人の置かれた時間的又は場所的状況によっては着直しすることができない場合もある。
そこで本発明は、装着した帯が見苦しい形に崩れることがなく、たとえ帯の重みで帯が帯板と共に下がってしまっても着物の着直しせずに簡単に帯を見栄え良く調え直すことができ、さらにその帯の見栄えの良さをしばらく維持することが可能となる和装用帯板の下締め装置を提供することを目的とする。
【課題を解決するための手段】
【０００４】
上記課題を解決するために本発明の和装用帯板の下締め装置の請求項１に記載の発明においては、和装用帯板の左右両端部寄り部分を除く内面の下部辺縁寄り部位に帯板の内面を含まずに輪状又は筒状を成し且つ絞紐を挿通可能とした挿通孔が該帯板の内面から一定範囲自由に起伏可能に形成した起伏体を、該帯板の下部辺縁に沿って間隔置きに設ける。
また、使用者の胴部に巻いたとき両端部が結べる程度の長さを有する絞紐を該帯板の一方側の挿通孔から他方側の挿通孔に向って順に挿通し、該絞紐の両端部を一方側の挿通孔と他方側の挿通孔から突出させる。
そして、前記絞紐の両端を同時に引くと挿通孔が前記帯板の内面から起き上がって該帯板の下部を胴部に締め付けできるようにしたことを特徴とする。
【０００５】
請求項２に記載の発明は、和装用帯板の左右両端部寄り部分を除く内面の下部辺縁寄り部位に帯板の内面を含まずに筒状を成し且つ絞紐を挿通可能とした挿通孔が該帯板の内面から一定範囲自由に起伏可能に形成した起伏体を、該帯板の下部辺縁に沿った略全域に設ける。
また、使用者の胴部に巻いたとき両端部が結べる程度の長さを有する絞紐を該帯板の一方側の挿通孔から他方側の挿通孔に向って挿通し、該絞紐の両端部を一方側の挿通孔と他方側の挿通孔から突出させる。
そして、前記絞紐の両端を同時に引くと挿通孔が前記帯板の内面から起き上がって該帯板の下部を胴部に締め付けできるようにしたことを特徴とする。
【０００６】
請求項３に記載の発明は、上記構成において、前記起伏体に、挿通孔を帯板の内面から一定範囲自由に起伏可能とする係留部を備えたことを特徴とする。
【０００７】
請求項４に記載の発明は、上記各構成において、前記絞紐を、起伏体の一箇所又は帯板の一箇所に固定したことを特徴とする。
【０００８】
請求項５に記載の発明は、上記各構成において、前記絞紐の一方端部又は両端部に、該絞紐の両端部を繋いで絞紐の胴回り長さの絞り調節と絞紐の端部の固定とを可能とする係止具を装着したことを特徴とする。
【発明の効果】
【０００９】
本発明の和装用帯板の下締め装置は上記構成であり、帯板を着物の上から装着して前記絞紐の両端を同時に引くと、図１０の（ハ）に示すように、絞紐を挿通させた起伏体の挿通孔が前記帯板の内面から起き上がって該帯板の下部で胴部を絞るように締め付け絞紐の両端を結んでそのまま固定することが可能となる。
このように、帯板の下辺を絞紐によって絞るため、図８の（イ）に示すように、帯板の上に巻かれる帯が、不恰好な下開き状態にはならず、必ず見栄えの良い上広がりの状態となり、その見栄えの良さが維持される。
また、バンドや止め紐などで固定した帯の結び目側の帯板に帯全体の荷重がかかるが、その荷重は絞紐で受け止められるので、使用中に帯板の後部が下がることがなくなり、この結果、着物を飾る帯結び部分と着物の背部分とに空間が開くほど後ろに垂れ下がしまうことと、使用中に帯の前上辺から帯板が露出することが同時に解消される。
さらに、使用中に帯と帯板の全体が、帯の重みでずり下がってしまった場合には、着物の着直しせずに絞紐を緩めて帯と帯板の全体を持ち上げ、最適位置で再度絞紐を絞って胴部に固定することによって、帯を簡単に調え直すことが可能となり、気軽に着物を着て外出できるようになる。
【００１０】
また、起伏体に係留部を設けた形態では、係留部に幅で起伏体の挿通孔の起伏幅を確保でき、その起伏幅で絞り量を決めることができるようになり、さらに絞紐の一部を帯板や起伏体の一箇所に固定した形態では、帯を直す際に、一方から絞紐を引っ張ったときに、絞紐の端部が挿通孔の途中に隠れてしまって引き出せなくなったり、絞紐全部が抜け落ちたりしてしまうのを防止できるので安心して使用できる。
また、絞紐に係止具を装着した形態では、絞紐の絞り強の調節や、絞紐の両端部の固定が簡単にできるようになる。
なお、本発明では、絞紐によって胴部は締め付けられるが、帯板の上に巻いた帯や止め紐などが直接に胸を締め付けることがなくなり、胸の窮屈さが解消され呼吸が楽になる利点がある。
【発明を実施するための最良の形態】
【００１１】
本発明の和装用帯板の下締め装置の形態について以下詳しく説明する。
本発明に用いる和装用帯板自体は特に限定するものではないが、帯板は帯の前の形を調えるものなので、その材質はプラッスチックや発泡樹脂などの帯よりも多少硬質であって、しかも胴部に軽く巻ける程度の柔軟性を有し、長さは胴部着衣上の前半周程度から全周にわたる長さのものが使用できる。
そして、その帯板の内面などに各種止め紐などの補助的な構造を備えたものが提案されているが、それらの帯板が使用できる。
【００１２】
本発明は上記和装用帯板に対して装着するのもであるが、各種止め紐などの補助的な構造を全て省略した図によって以下その形態を説明する。
本発明は、図１に示すように、和装用の帯板１に、その左右両端部寄り部分を除く内面の下部辺縁１ｂ寄り部位１ａに、絞紐５が遊挿可能な挿通孔４を備えた数センチの長さの起伏体２を、５〜７個、該帯板１の下部辺縁１ｂに沿って一定に間隔を置いて設ける。
前記起伏体２は、前記挿通孔４を形成する筒状体６を、口径を大きくして該帯板１の内面からその大きい口径が細長く変形して帯板１の内面から一定の起伏幅Ｈに自由に起伏できるように形成する。
また、使用者の胴部に巻いたとき両端部５ａ、５ｂが結べる程度の長さを有する絞紐５を、該帯板１の一方側の挿通孔４から他方側の挿通孔４に向って順に挿通し、その両端部５ａ、５ｂ寄り部分で絞紐５を繋げて縛ることができるように該絞紐５の両端部５ａ、５ｂを一方側の挿通孔４と他方側の挿通孔４から突出させておく。
そして、使用する際には、前記絞紐５の両端部５ａ、５ｂを同時に引いて、前記起伏体３の挿通孔４を備えた先端側が前記帯板１の内面から大きく起き上がって（図８の（ハ）に示す）、該帯板１の下部を窄めるようにし、前記起伏体２を内側へ引っ張るようにして絞紐５で胴部を締め付けできようにする。
前記絞紐５は、挿通孔４に挿通できて結束可能となる、紐、又は伸縮可能なゴムが織り込まれた紐などの各種材質の紐の使用が可能である。
【００１３】
前記起伏体２の該帯板１への設置範囲は、図１及び図２に示すように、前記帯板１の両端部から内側に少し距離を置いた、帯板下部の中央寄りの域内においてその域内のほぼ全域に一定に間隔を置いて設ける。
これは、使用の際に、装着した前記起伏体２から帯板１の端部に突出した絞紐５を結ぶときに、重なった左右の帯板１端部と前記起伏体２の最端部寄り部分とが重なって帯板１が絞れなくなるのを妨ぎ、また絞紐５の両端部５ａ、５ｂを余裕をもって引き絞り、結ぶことができつるようにするためである。
【００１４】
本発明における起伏体２の形態は、図１に示すように、起伏体２の絞紐５を遊挿可能な挿通孔４の形成は口径を大きくした筒状体６の形態の他にも、起伏幅Hを確保するため、図２に示すように、前記起伏体２の基部側に、先端側の筒状の挿通孔４を帯板１の内面から一定範囲自由に起伏可能とする繋ぎ布を配した係留部３を備えた形態が可能である。
さらに、前記起伏体２は、上記筒状を成す各種挿通孔４を上記のように前記帯板１の内面に数個を一定間隔を置いて設けるのではなく、前記帯板１の両端部から内側に少し距離を置いた帯板１下部の中央寄りの域内において、図４（挿通孔４の口径を大きくし筒状体６とした形態）及び図５（起伏体２の基部側に、先端側の挿通孔４を帯板１の内面から一定範囲自由に起伏可能とする繋ぎ布を配した係留部３を備えた形態）に示すように、帯板１の下部の周方向全体に一体のものを設けることも可能である。
また、前記起伏体２の挿通孔４は上記のような筒状体６ではなくとも良く、図３に示すように、紐を輪にした輪状体７を一定間隔で並べて設けた形態も可能となる。
それらのいずれの起伏体２においても、前記帯板１の内面から略等距離に起伏幅Ｈ分起伏可能となり、通した絞紐５で帯板１の全周囲で均一な絞りが可能となるようにする。
上記いずれの形態でも、挿通孔４に前記絞紐５を通し、その前記絞紐５の両端を同時に引くと挿通孔４が前記帯板１の内面から起き上がるので帯板１の下部を絞って胴部に帯板１を締め付けることができる。
【００１５】
また、図２に示すように、前記絞紐５の中央部一箇所を帯板１に縫うなどして固定すると、その固定部８で前記絞紐５の移動が拘束されるので帯を直す際に、一方から絞紐を引っ張ったときに抜け落ちてしまうのを防止することができる。
なお、前記絞紐５の固定は起伏体の一箇所に固定しても同様の効果があるのでそれでも良い。
【００１６】
さらに、図７に示すように、前記絞紐５にはその両端部５ａ、５ｂを繋いで絞り調節及び固定可能とする着脱可能な係止具９を装着することもできる。
前記係止具は、各種可能であるが、例えば、図６に示す態様の係止具１０においては、孔１３付き係止体１１と、その孔に嵌合する突起１４付き係止体１１とを組み合わせた係止具１０を、絞紐５の両端部５ａ、５ｂに長さ調節及び着脱可能な係止具１０を用いることができる。
前記係止具１０では、突起１４にフック状溝１５を絞紐５の端部５ｂに向けて形成し、係止体１１の孔１３に、フック状溝１５が掛かるように突起１４を差し込み、そのフック状溝１５が孔１３に掛かることによって絞紐５を両側から引っ張っても容易に外れないようにしてある。
こうすれば、その係止具１０で絞紐５の長さを調節と、絞紐５の両端部５ａ、５ｂの固定が簡単にできるようになるので便利である。
また、この他にも、その絞紐５の両端部５ａ、５ｂを簡単に固定する方法は各種あり、例えば前記絞紐５の両端部に面ファスナーを、少なくとも約１０ｃｍ程度の調節対応幅を加味した長さで設けても良い。
【００１７】
次に本発明の使用方法を説明する。
先ず、着付け時について説明すると、着物を着るときには、まず、図７で示すように、身体の胴部Ｄの上に着物Ｋを着て、図１０の（イ）に示すように、その上に帯板１を巻き、その帯板の上に帯をしめる。そして前記絞紐５の両端部５ａ、５ｂが着物と帯板の間から下がっているのを確認する。
そして、図１０の（ロ）に示すように、帯の形を作り、帯揚げ、帯締を結んで形を整える。
さらに、胴部に対する位置を整えて、位置が決まってから前記絞紐５の両端部５ａ、５ｂを同時に引き絞って胴部にフィットさせ（このとき、図１０の（ハ）に示すように、帯板１の内側に起伏体２が起き上がって絞紐５が帯板１から離れるが、着物Ｋと帯板１間には殆ど隙間のないように締めて、そのまま絞紐５の両端部５ａ、５ｂを結ぶ。
この際に、図６に示すような、係止具１０を備えたものでは、絞紐５の両端部５ａ、５ｂで絞紐５の絞り強さを調節したり、ワンタッチで極めて簡単に接続固定することが可能となる。
そして、前記絞紐５の両端部５ａ、５ｂ側の結び目残り紐部分は、だらりと下げないで図７に示すように、帯の表側より見えないように帯板１内側と着物の間に挟んで隠すようにする。
こうして、着付け時には帯板１の下周縁１ｂが絞紐５によって窄められた状態となり、胴体Ｄに巻いた帯Ｂが、図８の（イ）に示すように、必ず上広がりの状態となって固定され、帯Ｂの形が引き締まって美しく見えようになる。
そして、止め紐などで固定した帯の結び目側の帯板上部に帯全体の荷重がかっても、その荷重は胴部に巻いた絞紐が受け止め帯全体を支えるので、従来の問題であった、帯結び部分が後ろに垂れ下がってしまうことと帯の前上辺から帯板が露出することが同時に解消できるようになった。
【００１８】
次に、着ているときに着崩れが起きた時について説明する。
使用中に、図８の（イ）に示す装着時の状態から、図８の（ロ）に示すように、着物Ｋから帯の重みで帯板１が下がってしまった状態になった場合について説明する。
図１１の（イ）に示す着物Ｋから帯の重みで帯板１が下がってしまった状態を示す。
この状態になったら、帯板１の中に隠した前記絞紐５の両端部５ａ、５ｂを摘まみ出し、絞紐５の結び目を解く。
そして、帯と帯板の全体を、図１１の（ロ）に示すように、胴部に対する高さ位置を最適部位まで上に持ち上げて整え、さらに、図１１の（ハ）に示すように、前記絞紐５の両端部５ａ、５ｂを同時に引いて帯板１を胴部Ｄに対して引き絞り、後ろ結びでは、再度回して前後入れ替えし、前結びではそのままで再度結び直してその位置で固定する。
この作業は、帯板１の中に隠した絞紐５の結び目を解いて、再度絞紐５を引き締め状態で結び直すだけの簡単な作業なので、特別に着付け部屋がなくても、他人の手を借りず単独で手軽に簡単に行うことができる。
従来、日本の伝統衣装の着物は、艶やかさ、華やかさ、豪華さなどがあって女性にとって着る機会があればできるだけ着てみたいとする願望が多くあったが、着物を所有していても、着付けと着崩れの対応の困難さから着用することは敬遠されがちであった。
しかし、本発明によって、着崩れが起きた場合の対応については、着物の着直しせずに自分自身の絞紐の操作によって簡単にできるようになったので、安心して外出できるようになり、これによって着物を着る機会が増えることが期待される。
【産業上の利用可能性】
【００１９】
本発明は、着物の帯の内側に用いる帯板に装着され、用いる帯板の内面には各種止め紐などの補助的な構造を備えたものでは、その構造が絞紐５の引き絞りに障害となるような構造でない限り全ての帯板に使用することが可能である。
【図面の簡単な説明】
【００２０】
【図１】本発明の間隔置きに設けた起伏体の挿通孔が筒状である形態の斜視図。
【図２】間隔置きに設けた起伏体に係留体がある形態の斜視図。
【図３】間隔置きに設けた起伏体の挿通孔が輪状体である形態の斜視図。
【図４】一体の起伏体を全域に設けた形態の斜視図。
【図５】係留体がある一体の起伏体を全域に設けた形態の斜視図。
【図６】絞紐に係止具を（イ）が結合状態の、（ロ）が分離状態の絞紐の先端部部分を示す各斜視図。
【図７】使用状態を示す胴部の輪切り断面図。
【図８】本発明の使用状態を示し、（イ）が装着直後、（ロ）が帯が下がった時の各模式的側面図。
【図９】従来の帯板の使用状態を示し、（イ）が装着直後、（ロ）が帯が崩れた時の各模式的側面図。
【図１０】本発明の使用状態を示し、（イ）が帯板装着時の、（ロ）が帯を巻いた時の、（ハ）が絞紐を締めて着付けが完了した時の各模式的縦断側面図。
【図１１】本発明の使用状態を示し、（イ）が帯が下がった時の、（ロ）が絞紐を緩めた時の、（ハ）が帯を上げて絞紐を締め直した時の各模式的縦断側面図。
【符号の説明】
【００２１】
１    帯板
１ｂ  帯板内面の下辺縁
１ａ  帯板内面の下辺縁寄りの部位
２    起伏体
３    係留部
４    挿通孔
５    絞紐
５ａ  絞紐の端部
５ｂ  絞紐の端部
６    筒状体
７    輪状体
８    固定部
９    係止具
１０    嵌合係止具
１１    孔付き係止体
１２    突起付き係止体
１３    係止孔
１４    係止突起
１５    フック状溝
Ｈ    起伏幅
Ａ    従来の帯板
ａ    帯板露出部
Ｂ    帯
Ｄ    胴部
Ｋ    着物
Ｆ    蝶結び
Ｃ    止め紐
Ｄ    帯枕
Ｅ    帯の結び目
【図１】
0004802011.tif 000002
【図２】
0004802011.tif 000003
【図３】
0004802011.tif 000004
【図４】
0004802011.tif 000005
【図５】
0004802011.tif 000006
【図６】
0004802011.tif 000007
【図７】
0004802011.tif 000008
【図８】
0004802011.tif 000009
【図９】
0004802011.tif 000010
【図１０】
0004802011.tif 000011
【図１１】
0004802011.tif 000012